(57)【特許請求の範囲】
【請求項１】
浴室と、前記浴室以外の部屋と、の換気を行う浴室換気乾燥装置であって、
前記浴室の空気が吸い込まれる第１吸気口と、
前記第１吸気口から吸い込まれた空気と、前記部屋の空気と、のいずれか一方が択一的に吸い込まれる第２吸気口と、
内部空間が前記第１吸気口と連通するスクロールと、
前記スクロール内に設けられる第１送風部と、
前記スクロールを囲うケーシングと、
を備え、
前記第１吸気口または前記第２吸気口から吸い込まれた空気は、前記スクロールの外郭をなす壁の一部とこれに対向する前記ケーシングの壁の一部との間の間隙を通して屋外へ排出される浴室換気乾燥装置であって、
前記部屋から吸い込んだ空気を前記第２吸気口に導く吸気流路を有する吸気ユニットと、
換気ユニットであって、
屋外に空気を排出する換気口と、
前記第１吸気口から前記第２吸気口に吸い込まれた空気、及び前記部屋から吸い込まれた空気を前記換気口を介して屋外へ導く換気経路と、
前記換気経路上に設けられ、前記第２吸気口から吸い込まれた空気および前記部屋から吸い込まれた空気を前記換気口へ送る第２送風部と、
を有する換気ユニットと、
のいずれかを前記ケーシングの上に選択的に取り付け可能に構成されたことを特徴とする浴室換気乾燥装置。
【請求項２】
前記スクロールの前記一部の外壁面は、平面状であることを特徴とする請求項１記載の浴室換気乾燥装置。
【請求項３】
前記スクロールの前記一部の外壁面の下端は、前記外壁面から前記スクロールの下面に向けて湾曲していることを特徴とする請求項１または２に記載の浴室換気乾燥装置。
【請求項４】
回動可能に設けられ、回動により前記間隙の開口面積を調整可能な遮蔽部をさらに備えたことを特徴とする請求項１〜３のいずれか１つに記載の浴室換気乾燥装置。
【請求項５】
前記スクロールの前記一部の外壁面の下端は、前記ケーシングの前記一部に向けて突出しており、
前記遮蔽部の回動軸は、前記下端の上に設けられたことを特徴とする請求項４記載の浴室換気乾燥装置。
【発明の詳細な説明】
【技術分野】
【０００１】
本発明の態様は、一般的に、浴室換気乾燥装置に関する。
【背景技術】
【０００２】
浴室に加えて、浴室以外の換気も可能な浴室換気乾燥装置がある。このような浴室換気乾燥装置には、１つのファンを備えたもの（１ファンタイプ）と、２つのファンを備えたもの（２ファンタイプ）と、がある。
【先行技術文献】
【特許文献】
【０００３】
【特許文献１】特開２０１４−０３５１５７号公報
【発明の概要】
【発明が解決しようとする課題】
【０００４】
従来、１ファンタイプと２ファンタイプでは、それぞれの形態に合わせて部品の設計・製造が行われていた。このため、浴室換気乾燥装置の製造コストが高く、部品の管理も煩雑なものとなっていた。
本発明は、かかる課題の認識に基づいてなされたものであり、１ファンタイプと２ファンタイプの間で部品の共有化が可能な浴室換気乾燥装置を提供することを目的とする。
【課題を解決するための手段】
【０００５】
第１の発明は、浴室と、前記浴室以外の部屋と、の換気を行う浴室換気乾燥装置であって、前記浴室の空気が吸い込まれる第１吸気口と、前記第１吸気口から吸い込まれた空気と、前記部屋の空気と、のいずれか一方が択一的に吸い込まれる第２吸気口と、内部空間が前記第１吸気口と連通するスクロールと、前記スクロール内に設けられる第１送風部と、前記スクロールを囲うケーシングと、を備え、前記第１吸気口または前記第２吸気口から吸い込まれた空気は、前記スクロールの外郭をなす壁の一部とこれに対向する前記ケーシングの壁の一部との間の間隙を通して屋外へ排出される浴室換気乾燥装置であって、前記部屋から吸い込んだ空気を前記第２吸気口に導く吸気流路を有する吸気ユニットと、換気ユニットであって、屋外に空気を排出する換気口と、前記第１吸気口から前記第２吸気口に吸い込まれた空気、及び前記部屋から吸い込まれた空気を前記換気口を介して屋外へ導く換気経路と、前記換気経路上に設けられ、前記第２吸気口から吸い込まれた空気および前記部屋から吸い込まれた空気を前記換気口へ送る第２送風部と、を有する換気ユニットと、のいずれかを前記ケーシングの上に選択的に取り付け可能に構成されたことを特徴とする浴室換気乾燥装置である。
【０００６】
この浴室換気乾燥装置によれば、複数の異なる形態の浴室換気乾燥装置に対する共通部品として用いることが可能であり、浴室換気乾燥装置の部品数の削減および部品の製造コストの低減が可能となる。
【０００８】
この浴室換気乾燥装置によれば、吸気ユニットと換気ユニットを選択的に取り付けることが可能であるため、吸気ユニットおよび換気ユニットのそれぞれに合わせて浴室換気乾燥装置の構造設計を変更する必要が無い。このため、浴室換気乾燥装置の部品数の削減および部品の製造コストの低減が可能となる。
【００１３】
第２の発明は、第１の発明において、前記スクロールの前記一部の外壁面は、平面状であることを特徴とする浴室換気乾燥装置である。
【００１４】
この浴室換気乾燥装置によれば、間隙を流れる空気に対する圧損を小さくすることができ、空気を効率的に換気することが可能となる。
【００１５】
第３の発明は、第１または第２の発明において、前記スクロールの前記一部の外壁面の下端は、前記外壁面から前記スクロールの下面に向けて湾曲していることを特徴とする浴室換気乾燥装置である。
【００１６】
この浴室換気乾燥装置によれば、間隙を通る空気に対する圧損を小さくし、空気を効率的に換気することが可能となる。
【００１７】
第４の発明は、第１〜第３のいずれかの発明において、回動可能に設けられ、回動により前記間隙の開口面積を調整可能な遮蔽部をさらに備えたことを特徴とする浴室換気乾燥装置である。
【００１８】
この浴室換気乾燥装置によれば、浴室換気乾燥装置に取り付けられるユニットの種類に拘わらず、遮蔽部によって間隙の開口面積を調整することで、浴室換気乾燥装置の動作を切り替えることが可能となる。このため、共通化された部品の汎用性をさらに高め、より一層の部品数の削減および部品の製造コストの低減が可能となる。
【００１９】
第５の発明は、第４の発明において、前記スクロールの前記一部の外壁面の下端は、前記ケーシングの前記一部に向けて突出しており、前記遮蔽部の回動軸は、前記下端の上に設けられたことを特徴とする浴室換気乾燥装置である。
【００２０】
この浴室換気乾燥装置によれば、遮蔽部近傍における圧損を小さくすることができ、空気を効率的に換気することが可能となる。
【発明の効果】
【００２１】
本発明の態様によれば、１ファンタイプと２ファンタイプの間で部品の共有化が可能な浴室換気乾燥装置が提供される。
【図面の簡単な説明】
【００２２】
【図１】実施形態に係る浴室換気乾燥装置を浴室に取り付けた状態を表す概略図である。
【図２】実施形態に係る浴室換気乾燥装置の一例を表す断面図である。
【図３】図２のＡ−Ａ線における断面を表す断面図である。
【図４】実施形態に係る浴室換気乾燥装置の他の一例を表す断面図である。
【図５】実施形態に係る浴室換気乾燥装置の他の一例を表す断面図である。
【図６】実施形態に係る浴室換気乾燥装置の他の一例を表す平面図である。
【図７】スクロールの第１部分の下端近傍を拡大した断面図である。
【発明を実施するための形態】
【００２３】
以下、本発明の実施形態について図面を参照しつつ説明する。なお、各図面中、同様の構成要素には同一の符号を付して詳細な説明は適宜省略する。  
図１は、実施形態に係る浴室換気乾燥装置１を浴室に取り付けた状態を表す概略図である。
図２は、実施形態に係る浴室換気乾燥装置１の一例を表す断面図である。
【００２４】
図１に表すように、浴室換気乾燥装置１は、浴室ＢＲの天井に取り付けられる。
浴室換気乾燥装置１は、浴室ＢＲの空気を吸い込み、ヒータを経由させて浴室ＢＲに向けて吹き出す。または、浴室換気乾燥装置１は、浴室ＢＲの空気を吸い込み、吸い込んだ空気の少なくとも一部を、ダクトＤ１を通して浴室外に排出する。
浴室換気乾燥装置１は、例えば、洗面所ＳＲの壁面に設けられたリモコンＲＣによって操作することができる。
【００２５】
浴室換気乾燥装置１は、さらに、洗面所ＳＲとダクトＤ２を通して繋がり、トイレ室ＴＲとダクトＤ３を通して繋がっていてもよい。この場合、浴室換気乾燥装置１は、浴室ＢＲに加え、これらの部屋から吸い込んだ空気を、ダクトＤ１を通して排出することができる。
【００２６】
図２に表すように、実施形態に係る浴室換気乾燥装置１は、共通ユニット１０を備える。
共通ユニット１０は、ケーシング１０１、スクロール１０３、パネル１０５、ヒータケース１０７、カバー１１３、ファン１２１、ヒータ１２５、吸気口１３１、および吹出口１３３を有する。
共通ユニット１０は、図２に表すように、さらにダクトカバー１１１、ダンパ１２３、および換気口１３５を有していてもよい。
以降では、浴室ＢＲから見て浴室換気乾燥装置１が設けられる方向を「上」とし、「上」と反対の方向を「下」として、実施形態に係る発明を説明する。
【００２７】
スクロール１０３は、ケーシング１０１の内側に設けられている。
パネル１０５は、ケーシング１０１の下面に取り付けられ、スクロール１０３を覆っている。
ファン１２１は、ケーシング１０１の外側に設けられたモータ１２１ａと、スクロール１０３の内側に設けられた羽根１２１ｂと、を有する。モータ１２１ａによって羽根１２１ｂを回転させることで、浴室ＢＲの空気が、ケーシング１０１の下面に形成された吸気口１３１から吸い込まれる。このとき、浴室ＢＲの空気は、図２に表す矢印のように、ケーシング１０１とパネル１０５との隙間から吸気口１３１に向かって流れる。
【００２８】
スクロール１０３の側方には、スクロール１０３と連なって、ヒータケース１０７およびダクトカバー１１１が設けられている。ヒータケース１０７は、吹出口１３３と繋がっており、ダクトカバー１１１は、換気口１３５と繋がっている。また、吹出口１３３は、浴室ＢＲと繋がり、換気口１３５は、ダクトＤ１と繋がっている。ファン１２１によって吸気口１３１から吸い込まれた空気は、スクロール１０３の内部を流れ、吹出口１３３および換気口１３５を通して浴室換気乾燥装置１の外に排出される。
【００２９】
ダンパ１２３は、ファン１２１の下流であって、吹出口１３３および換気口１３５の上流に設けられている。ダンパ１２３は、回動可能に構成されている。ダンパ１２３を回動させることで、ファン１２１から送られた空気を、吹出口１３３、換気口１３５、または吹出口１３３と換気口１３５の両方に送ることができる。
【００３０】
ヒータ１２５は、ヒータケース１０７の内側に設けられ、ダンパ１２３の下流に位置している。ヒータ１２５を通電させた状態で、吹出口１３３に向けて空気を送ることで、吹出口１３３を流れる空気が加熱される。パネル１０５には、吹出口１３３に対応した位置に開口が形成されており、この開口を通して、温風が吹出口１３３から浴室ＢＲに向けて吹き出される。
【００３１】
また、共通ユニット１０には、スクロール１０３の一部と、ケーシング１０１の一部と、の間に、間隙Ｇが形成されている。間隙Ｇの上端は、カバー１１３により覆われている。間隙Ｇの下端は、吸気口１３１と繋がっている。
なお、図２では、カバー１１３がケーシング１０１と別体に設けられている例を表している。しかし、カバー１１３はケーシング１０１と一体に形成されていてもよい。例えば、樹脂を成型してケーシング１０１を製造する際に、入れ子を設けることで、ケーシング１０１とカバー１１３とを一体に形成することが可能である。
シャッタ１２７は、間隙Ｇが形成された位置に設けられている。シャッタ１２７は、回動可能に構成されている。シャッタ１２７を回動させることで、間隙Ｇの少なくとも一部を覆う（塞ぐ）ことが可能である。
【００３２】
ここで、間隙Ｇ近傍の構造について、図３を用いて具体的に説明する。
図３は、図２のＡ−Ａ線における断面を表す断面図である。
なお、図３では、ヒータ１２５およびシャッタ１２７が省略されている。
【００３３】
図３に表すように、スクロール１０３は、第１部分１０３ａを有する。間隙Ｇは、ケーシング１０１の一部と第１部分１０３ａとの間に形成されている。また、第１部分１０３ａの一部の外壁面Ｓは、平面状に形成されている。間隙Ｇの少なくとも一部は、この外壁面Ｓとケーシング１０１とによって形成されている。スクロール１０３の外壁面の他の部分は、ファン１２１の周りにおいて、吹出口１３３に向けて湾曲している。
ここでは、外壁面Ｓに沿う方向であって、上下方向に対して垂直な方向を前後方向とし、前後方向および上下方向に対して垂直な方向を左右方向とする。
【００３４】
間隙Ｇの前後方向における長さＬ１は、左右方向における長さＬ２よりも長い。一例として、間隙Ｇの長さＬ１は、ファン１２１の前後方向における長さよりも長く、スクロール１０３の前後方向における長さと同程度である。
なお、間隙Ｇの形状は、ケーシング１０１の形状やスクロール１０３の形状および配置などに合わせて適宜変更することが可能である。また、図３では、間隙Ｇを形成する第１部分１０３ａの一部の外壁面Ｓが平面状である場合を表している。しかし、図３に表す例に限らず、第１部分１０３ａの間隙Ｇに面する外壁面が、全て平面状に形成されていてもよい。
【００３５】
次に、図４を用いて、共通ユニット１０に吸気ユニット２０を取り付けた場合の構造について説明する。
図４は、実施形態に係る浴室換気乾燥装置１の他の一例を表す断面図である。
【００３６】
図４に表すように、吸気ユニット２０は、共通ユニット１０のケーシング１０１の上に設けられる。このとき、カバー１１３は、取り除かれている。カバー１１３が取り除かれることで、間隙Ｇの上端が外部に対して露出し、吸気口１３７が形成される。
【００３７】
吸気ユニット２０は、吸気経路２０１を有する。吸気経路２０１の一端は、ダクトＤ２を介して、浴室ＢＲ以外の部屋（例えば洗面所ＳＲ）と繋がっている。吸気経路２０１の他端は、吸気口１３７と繋がっている。
【００３８】
ファン１２１を動作させることで、吸気口１３１を通して浴室ＢＲの空気がスクロール１０３の内部に吸い込まれる。同時に、図４に表す矢印のように、ダクトＤ２および吸気口１３７を通して洗面所ＳＲの空気がスクロール１０３の内部に吸い込まれる。
このとき、例えば、ダンパ１２３で吹出口１３３を遮蔽し、換気口１３５を開放することで、浴室ＢＲおよび洗面所ＳＲの空気が屋外へ排出される。
【００３９】
シャッタ１２７によって間隙Ｇを塞いだ状態でファン１２１を動作させると、吸気ユニット２０からは空気が吸い込まれず、浴室ＢＲの空気のみを吸い込むことができる。
または、シャッタ１２７によって、間隙Ｇの一部を塞いだ状態でファン１２１を動作させることで、洗面所ＳＲからの空気の流量を抑えつつ、浴室ＢＲからの空気の流量を大きくすることができる。
このとき、シャッタ１２７によって、間隙Ｇの開口面積を調整することで、洗面所ＳＲからの空気の流量を調整することができる。
なお、ここでは、開口面積とは、間隙Ｇを空気が流れる際の、空気の流れに対して垂直な面における間隙Ｇの面積を意味している。
【００４０】
シャッタ１２７によって間隙Ｇを塞いだ状態で、ダンパ１２３で換気口１３５を遮蔽することで、浴室ＢＲから吸い込んだ空気が、浴室ＢＲに向けて吹き出される。このとき、ヒータ１２５に通電することで、温風を浴室ＢＲに向けて吹き出すことができる。
あるいは、シャッタ１２７によって間隙Ｇを塞いだ状態で、ダンパ１２３で吹出口１３３の一部および換気口１３５の一部を開放することで、浴室ＢＲの空気の一部を屋外に排出しつつ、他の一部を加熱して浴室ＢＲに向けて吹き出すことができる。
【００４１】
次に、図５および図６を用いて、共通ユニット１０に換気ユニット３０を取り付けた場合の構造について説明する。
図５は、実施形態に係る浴室換気乾燥装置１の他の一例を表す断面図である。
図６は、実施形態に係る浴室換気乾燥装置１の他の一例を表す平面図である。
【００４２】
図５に表すように、換気ユニット３０は、共通ユニット１０のケーシング１０１の上に設けられる。このとき、図４に表す形態と同様に、カバー１１３は取り除かれ、共通ユニット１０に吸気口１３７が形成されている。
なお、共通ユニット１０に換気ユニット３０が取り付けられる際には、図５に表すように、共通ユニット１０からダクトカバー１１１およびダンパ１２３が取り除かれ、換気口１３５と繋がっていた開口がキャップ１２９によって塞がれる。
【００４３】
換気ユニット３０は、ケーシング３０１、スクロール３０３、ファン３２１、および換気口３３５を有する。
ケーシング３０１は、ケーシング１０１の上に設けられている。
スクロール３０３は、ケーシング３０１の内側に設けられている。
ファン３２１は、ファン１２１と同様に、モータ３２１ａと、羽根３２１ｂと、を有する。モータ３２１ａによって羽根３２１ｂを回転させることで、空気が換気ユニット３０の内部に吸い込まれ、スクロール３０３の内部を流れる。
【００４４】
図６に表すように、換気ユニット３０には、さらに、洗面所ＳＲに繋がるダクトＤ２と、トイレ室ＴＲに繋がるダクトＤ３と、が接続されている。すなわち、スクロール３０３の内部空間が、吸気口１３７、洗面所ＳＲ、およびトイレ室ＴＲと繋がっており、換気ユニット３０は、吸気口１３７、洗面所ＳＲ、およびトイレ室ＴＲと、換気口３３５と、を連通する換気経路を有する。ファン３２１は、この換気経路上に設けられており、ファン３２１を動作させることで、浴室ＢＲ、洗面所ＳＲ、およびトイレ室ＴＲから空気が吸い込まれ、換気口３３５およびダクトＤ１を通して屋外へ排気される。
【００４５】
ファン３２１を動作させた際、浴室ＢＲからは、図５に表す矢印のように、吸気口１３１および吸気口１３７（間隙Ｇ）を通して、スクロール３０３の内部に空気が吸い込まれる。
すなわち、共通ユニット１０に吸気ユニット２０を取り付けた際には、吸気口１３７には、共通ユニット１０以外のユニットから、共通ユニット１０に向けて空気が流れていた。これに対して、共通ユニット１０に換気ユニット３０を取り付けた際には、吸気口１３７（間隙Ｇ）には、共通ユニット１０から換気ユニット３０に向かう方向に空気が流れる。
【００４６】
ファン３２１によって空気を屋外へ排気する際、シャッタ１２７によって吸気口１３７を塞ぐことで、洗面所ＳＲおよびトイレ室ＴＲを選択的に換気することが可能である。
または、ファン３２１を動作させた際に、シャッタ１２７によって間隙Ｇの一部のみを塞ぐことで、浴室ＢＲからの空気の流入を抑え、洗面所ＳＲおよびトイレ室ＴＲからの空気の流量を大きくすることもできる。
【００４７】
あるいは、シャッタ１２７を閉じた状態で、ファン１２１を動作させることで、浴室ＢＲの空気のみを共通ユニット１０に選択的に吸い込むことができる。図５に表す形態では、共通ユニット１０に換気口が設けられていない。このため、ファン１２１によって吸い込まれた空気は、ヒータ１２５を通って、吹出口１３３から浴室ＢＲに向けて吹き出される。
また、ファン１２１およびファン３２１を同時に動作させることで、浴室ＢＲや洗面所ＳＲ、トイレ室ＴＲを換気しつつ、浴室ＢＲの空気の一部を加熱して浴室ＢＲに循環させることも可能である。このとき、シャッタ１２７によって間隙Ｇの開口面積を調整することで、浴室ＢＲから換気ユニット３０に流れる空気の流量を調整することが可能である。
【００４８】
すなわち、共通ユニット１０および換気ユニット３０を備える本形態では、ファン１２１の動作によって、浴室ＢＲの空気を加熱しつつ循環させ、ファン３２１の動作によって、換気ユニット３０と繋がった少なくともいずれかの部屋の換気が行われる。
【００４９】
また、浴室換気乾燥装置１が動作していないときは、シャッタ１２７を閉じることで、浴室ＢＲの湿気が、洗面所ＳＲやトイレ室ＴＲに流れることを抑制することが可能である。
【００５０】
ここで、実施形態による作用および効果について説明する。
本実施形態によれば、図２を用いて説明したように、共通ユニット１０にダクトカバー１１１およびダンパ１２３を取り付け、間隙Ｇをカバー１１３によって塞ぐことで、共通ユニット１０を、浴室ＢＲに対して換気、乾燥、および暖房を行う装置として用いることができる。
【００５１】
また、本実施形態に係る浴室換気乾燥装置１では、共通ユニット１０のスクロール１０３の一部（第１部分１０３ａ）とケーシング１０１の一部との間に間隙Ｇが形成され、共通ユニット１０に対して他のユニットを選択的に取り付け可能に構成されている。
このような構造によれば、図４を用いて説明したように、共通ユニット１０に吸気ユニット２０を取り付けることで、浴室ＢＲに加えて、他の１部屋を換気することが可能となる。あるいは、図５および図６を用いて説明したように、共通ユニット１０に換気ユニット３０を取り付けることで、浴室ＢＲに加えて、他の複数の部屋を換気することが可能となる。
すなわち、間隙Ｇを形成し、共通ユニット１０に他のユニットを選択的に取り付け可能に構成することで、共通ユニット１０を、複数の異なる形態に対する共通部品として用いるとともに、間隙Ｇを、共通ユニット１０に他のユニットを取り付けた際の風路として用いることが可能となる。
共通ユニット１０を、複数の異なる形態の浴室換気乾燥装置に対する共通部品として用いることで、浴室換気乾燥装置の部品数を削減でき、浴室換気乾燥装置の製造コストを低減することが可能となる。
【００５２】
また、図３に表すように、共通ユニット１０において、第１部分１０３ａとケーシング１０１の一部とによって間隙Ｇが形成され、第１部分１０３ａの一部の外壁面Ｓの少なくとも一部が平面状に形成されている。
このような構成によれば、スクロール１０３内を流れる空気の圧損の増大を抑制しつつ、間隙Ｇの開口面積を大きくすることができる。間隙Ｇの開口面積を大きくすることで、吸気ユニット２０から共通ユニット１０に流れる空気、または共通ユニット１０から換気ユニット３０に流れる空気の圧損を小さくすることができ、空気を効率的に換気することが可能となる。
【００５３】
また、共通ユニット１０がシャッタ１２７を備えることで、例えば、浴室ＢＲの空気のみを選択的に浴室換気乾燥装置１に吸い込み、加熱して浴室ＢＲに向けて吹き出すことが可能となる。すなわち、シャッタ１２７を設けることで、共通ユニット１０の汎用性をさらに高め、製造コストのより一層の低減が可能となる。
【００５４】
ここで、本実施形態に係る浴室換気乾燥装置１の詳細な構造について、図７を用いて説明する。
図７は、スクロール１０３の第１部分１０３ａの下端近傍を拡大した断面図である。
前述した通り、ケーシング１０１の一部とスクロール１０３の第１部分１０３ａとによって間隙Ｇが形成されている。このとき、第１部分１０３ａの外壁面下端のコーナー部Ｃ１が、図７に表すように、第１部分１０３ａの外壁面Ｓからスクロール１０３の下面に向けて、湾曲していることが望ましい。
コーナー部Ｃ１を湾曲させることで、間隙Ｇを通る空気に対する圧損を小さくし、空気を効率的に換気することが可能となる。
【００５５】
また、シャッタ１２７が間隙Ｇに設けられている場合、シャッタ１２７が間隙Ｇを塞いでいない状態であっても、シャッタ１２７によって、間隙Ｇを通る空気の流れが僅かながら阻害される。特に、シャッタ１２７は、回動可能に構成されており、表面に凹凸が存在するため、これらの凹凸により圧損が生じる。
この点について、本実施形態に係る浴室換気乾燥装置１では、図７に表すように、第１部分１０３ａの下端が、外壁面Ｓよりも、スクロール１０３の対面するケーシング１０１に向けて突出し、シャッタ１２７が、この下端の上に設けられている。
このような構造によれば、シャッタ１２７が間隙Ｇを開放した状態における、シャッタ１２７近傍における圧損を小さくすることができ、空気を効率的に換気することが可能となる。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室換気乾燥装置１、共通ユニット１０、吸気ユニット２０、換気ユニット３０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５７】
１ 浴室換気乾燥装置、  １０ 共通ユニット、  ２０ 吸気ユニット、  ３０ 換気ユニット、  １０１ ケーシング、  １０３ スクロール、  １０３ａ 第１部分、  １０５ パネル、  １０７ ヒータケース、  １１１ ダクトカバー、  １１３ カバー、  １２１ ファン、  １２１ａ モータ、  １２１ｂ 羽根、  １２３ ダンパ、  １２５ ヒータ、  １２７ シャッタ、  １２９ キャップ、  １３１ 吸気口、  １３３ 吹出口、  １３５ 換気口、  １３７ 吸気口、  ２０１ 吸気経路、  ３０１ ケーシング、  ３０３ スクロール、  ３２１ ファン、  ３２１ａ モータ、  ３２１ｂ 羽根、  ３３５ 換気口、  ＢＲ 浴室、  Ｃ１ コーナー部、  Ｄ１〜Ｄ３ ダクト、  Ｇ 間隙、  ＲＣ リモコン、  Ｓ 外壁面、  ＳＲ 洗面所、  ＴＲ トイレ室
【図１】
0006691664.tif 000002
【図２】
0006691664.tif 000003
【図３】
0006691664.tif 000004
【図４】
0006691664.tif 000005
【図５】
0006691664.tif 000006
【図６】
0006691664.tif 000007
【図７】
0006691664.tif 000008